(57)【特許請求の範囲】
【請求項１】
自動車シートが、ポケット型ソフト・シェル製アシスト・グリップをシート・バックの上面側でそのシート・バック内に組み込んでそのアシスト・グリップの開口をそのシート・バックのその上面に開口させ、そして、ハンガーが根元端にポケット差込み形リティニング・フックを、上端にハンガー・クリップをそれぞれ備え、そして、そのリティニング・フックをそのアシスト・グリップに差し込んでそのアシスト・グリップに取り外し可能に取り付けられてそのシート・バックに支持されるスプリング・ハンガー・ポストと、そのスプリング・ハンガー・ポストのそのハンガー・クリップに取り外し可能に止められてそのスプリング・ハンガー・ポストに保持されるハンガー・アタッチメントとで組み立てられるところの自動車シートおよびハンガーの組合せ。
【請求項２】
そのスプリング・ハンガー・ポストが、ばね鋼線を用いて成形される請求項1に記載の
自動車シートおよびハンガーの組合せ。
【請求項３】
そのスプリング・ハンガー・ポストが、ばね鋼帯を用いて成形される請求項1に記載の
自動車シートおよびハンガーの組合せ。
【発明の詳細な説明】
【技術分野】
【０００１】
この発明は、自動車シートおよびハンガーの組合せに関し、詳細には、シート・バックのアシスト・グリップを活用してハンガーをそのシート・バックに取り付け取り外し可能にしてそのシート・バックに支持させるところの自動車のフロント・シートおよびハンガーの組合せに関する。
【背景技術】
【０００２】
近年、自動車の車室内で利用する後付けハンガーが市販されてきている。
この種の後付けハンガーは、自動車シートのヘッドレストのスティにハンガー・ポストを取り付けてシート・バックに支持させる構造を採るので、そのヘッドレスト・スティに取り付け取り外し作業が厄介で非常に面倒になる。
【先行技術文献】
【特許文献】
【０００３】
特開平５−３３７０２４公報
【発明の概要】
【発明が解決しようとする課題】
【０００４】
この発明の課題は、コストをかけずに自動車シートのシート・バックの上面にハンガーを取り付け取り外しできてそのハンガーの取付け取外し作業が非常に簡単ですばやくできるところの自動車シートおよびハンガーの組合せを提供するにある。
【課題を解決するための手段】
【０００５】
この発明の自動車シートおよびハンガーの組合せは、自動車シートが、ポケット型ソフト・シェル製アシスト・グリップをシート・バックの上面側でそのシート・バック内に組み込んでそのアシスト・グリップの開口をそのシート・バックのその上面に開口させ、そして、ハンガーが根元端にポケット差込み形リティニング・フックを、上端にハンガー・クリップをそれぞれ備え、そして、そのリティニング・フックをそのアシスト・グリップに差し込んでそのアシスト・グリップに取り外し可能に取り付けられてそのシート・バックに支持されるスプリング・ハンガー・ポストと、そのスプリング・ハンガー・ポストのそのハンガー・クリップに取り外し可能に止められてそのスプリング・ハンガー・ポストに保持されるハンガー・アタッチメントとで組み立てられる。
【発明の効果】
【０００６】
この発明の自動車シートおよびハンガーの組合せは、スプリング・ハンガー・ポストが根元端にポケット差込み形リティニング・フックを、上端にハンガー・クリップをそれぞれ備え、そして、そのリティニング・フックをシート・バックのアシスト・グリップに差し込んでそのアシスト・グリップに取り外し可能に取り付けられてそのシート・バックの上面に支持される構造を採るので、自動車シートのシート・バックの上面に開口されるポケット型ソフト・シェル製アシスト・グリップが活用できてコストがかからなくなり、ハンガーがそのシート・バックのその上面に簡単に取り付け取り外しでき、そして、そのハンガーの取付け取外し作業が非常に簡単ですばやくできる。
【図面の簡単な説明】
【０００７】
【図１】乗用車のフロント・シートに活用されるところのこの発明の自動車シートおよびハンガーの組合せを部分的に示した斜視図である。
【図２】そのハンガーをそのフロント・シートのポケット型ソフト・シェル製アシスト・グリップに差し込んで取り付けた状態で示した側面図である。
【発明を実施するための形態】
【０００８】
この発明の自動車シートおよびハンガーの組合せは、自動車シートが、ポケット型ソフト・シェル製アシスト・グリップをシート・バックの上面側でそのシート・バック内に組み込んでそのアシスト・グリップの開口をそのシート・バックのその上面に開口させ、そして、ハンガーが根元端にポケット差込み形リティニング・フックを、上端にハンガー・クリップをそれぞれ備え、そして、そのリティニング・フックをそのアシスト・グリップに差し込んでそのアシスト・グリップに取り外し可能に取り付けられてそのシート・バックに支持されるスプリング・ハンガー・ポストと、そのスプリング・ハンガー・ポストのそのハンガー・クリップに取り外し可能に止められてそのスプリング・ハンガー・ポストに保持されるハンガー・アタッチメントとで組み立てられる。
【０００９】
また、そのスプリング・ハンガー・ポストは、ばね鋼線、または、ばね鋼帯を用いて成形される。
【実施例１】
【００１０】
以下、特定されて図示された具体例に基づいて、この発明の自動車シートおよびハンガーの組合せを説明するに、図1および図２は、乗用車のフロント・シートに活用されると
ころのこの発明の自動車シートおよびハンガーの組合せの具体例１０を示し、そして、フロント・シート１１は、シート・クッション（図示せず）、シート・バック１２、およびヘッドレスト１４で組み立てられ、そのシート・クッションがシート・トラック（図示せず）およびシート・リフター（図示せず）を組み込んでそのシート・トラックでその乗用車のフロア据え付けられ、そのシート・バック１２が両側リクライニング・デバイス（図示せず）でそのシート・クッションに前倒しおよび角度調整可能に支持され、そして、そのヘッドレスト１４が左右のスティをそのシート・バック１２の左右のスティ・ホルダーに差し込んでそのシート・バック１２の上面１３に取り外し可能に取り付けられる。
【００１１】
さらに詳細に説明するに、このフロント・シート１１およびハンガーの組合せ１０では、そのフロント・シート１１が、ポケット型ソフト・シェル製アシスト・グリップ１５をシート・バック１２の上面１３側でそのシート・バック１２内に組み込んでそのアシスト・グリップ１５の開口１６をそのシート・バック１２のその上面１３に開口させ、そして、ハンガー１７が根元端２０にポケット差込み形リティニング・フック２２を、上端２１、２１にハンガー・クリップ２３、２３をそれぞれ備え、そして、そのリティニング・フック２２をそのアシスト・グリップ１５に差し込んでそのアシスト・グリップ１５に取り外し可能に取り付けられてそのシート・バック１２に支持されるスプリング・ハンガー・ポスト１８と、そのスプリング・ハンガー・ポスト１８のそのハンガー・クリップ２３、２３に取り外し可能に止められてそのスプリング・ハンガー・ポスト１８に保持されるハンガー・アタッチメント１９とで組み立てられる。
【００１２】
そのポケット型ソフト・シェル製アシスト・グリップ１５では、軟質ゴム系樹脂を用いて断面U字形状に中間位置からその開口１６に挟められたポケット形状の袋に作られ、そ
のシート・バック１２のその上面１３の内部でシート・バック・フレーム（図示せず）のフレーム・ワイヤ（図示せず）に止められて取り付けられる。
【００１３】
そのハンガー１７のそのスプリング・ハンガー・ポスト１８は、ばね鋼線を用いて折曲げ成形され、そして、このスプリング・ハンガー・ポスト１８では、そのポケット差込み形リティニング・フック２２がフック先端の幅を狭めるようにその根元端２０に魚ばり形状に折曲げ成形され、また、そのハンガー・クリップ２３、２３がクリップ先端の幅を狭めるようにその上端２１に略U字形状に折曲げ成形される。勿論、このスプリング・ハン
ガー・ポスト１８は、ばね鋼帯を用いて成形されてもかまわない。
【００１４】
したがって、このフロント・シート１１およびハンガー１７の組合せ１０では、予め、そのハンガー・アタッチメント１９がそのスプリング・ハンガー・ポスト１８のそのハンガー・クリップ２３、２３に挟み込んで止めて組み付けてから一方の手でそのハンガー・アタッチメント１９を持ちながら他方の手の指でそのリティニング・フック２２のそのフック先端の幅を狭めるようにたわませながらそのリティニング・フック２２をそのシート・バック１２のそのポケット型ソフト・シェル製アシスト・グリップ１５内に差し込み、その他方の手の指を離す。そうすると、そのリティニング・フック２２が形状復元され、そのアシスト・グリップ１５に弾発的に押し付けられて食い込み、そのスプリング・ハンガー・ポスト１８はそのアシスト・グリップ１５に倒れ止めされ、そのハンガー１７はそのシート・バック１２のその上面１３に起立状態に支持され、そして、このハンガー１７は衣服掛けに利用される。
【００１５】
そのように、このフロント・シート１１およびハンガー１７の組合せ１０では、そのアシスト・グリップ１５を活用することによってそのハンガー１７も廉価にできてコストもかからなくなり、そのハンガー１７がそのシート・バック１２のその上面１３に簡単に取り付けられて起立状態に倒れ止めされ、また、簡単に取り外しでき、そして、そのハンガー１７の取付け取外し作業が非常に簡単ですばやくできる。
【００１６】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１７】
上述から理解されるように、この発明の自動車シートおよびハンガーの組合せでは、自動車シートが、ポケット型ソフト・シェル製アシスト・グリップをシート・バックの上面側でそのシート・バック内に組み込んでそのアシスト・グリップの開口をそのシート・バックのその上面に開口させ、そして、ハンガーが根元端にポケット差込み形リティニング・フックを、上端にハンガー・クリップをそれぞれ備え、そして、そのリティニング・フックをそのアシスト・グリップに差し込んでそのアシスト・グリップに取り外し可能に取り付けられてそのシート・バックに支持されるスプリング・ハンガー・ポストと、そのスプリング・ハンガー・ポストのそのハンガー・クリップに取り外し可能に止められてそのスプリング・ハンガー・ポストに保持されるハンガー・アタッチメントとで組み立てられるので、この発明の自動車シートおよびハンガーの組合せでは、自動車シートのシート・バックの上面に開口されるポケット型ソフト・シェル製アシスト・グリップが活用できてコストがかからなくなり、ハンガーがそのシート・バックのその上面に簡単に取り付け取り外しでき、そして、そのハンガーの取付け取外し作業が非常に簡単ですばやくでき、その結果、自動車にとっても非常に有用で実用的である。
【符号の説明】
【００１８】
１０  フロント・シートおよびハンガーの組合せ
１１  フロント・シート
１２  シート・バック
１３  上面
１４  ヘッドレスト
１５  ポケット型ソフト・シェル製アシスト・グリップ
１６  開口
１７  ハンガー
１８  スプリング・ハンガー・ポスト
１９  ハンガー・アタッチメント
２０  根元端
２１  上端
２２  ポケット差込み形リティニング・フック
２３  ハンガー・クリップ
【図１】
0005653832.tif 000002
【図２】
0005653832.tif 000003